(57)【要約】【課題】良好な視認性を有し、かつ、文字タグがどの事物・事象の説明をしているのかをユーザーが容易に把握することのできる経路案内装置を実現する。【解決手段】携帯端末装置１０には、避難経路の探索を行う避難経路探索手段１４０と、ユーザーが撮影中の風景映像を表示する映像表示手段１７０と、避難経路探索手段１４０によって得られた避難経路とランドマークとを示す地図を表示する地図表示手段１５０と、避難経路の案内に供される情報としてのエアタグ（第１の拡張現実画像）を風景映像に重ねて表示するエアタグ表示手段１８０と、エアタグに対応する文字タグ（第２の拡張現実画像）を表示する文字タグ表示手段１８２と、一端をエアタグまたはランドマークとし他端を文字タグとするリンク線を表示するリンク線表示手段１８１とが設けられる。ここで、各文字タグはほぼ同じ位置に固定された状態で表示される。【選択図】図４
2016008894.tif 000002
【特許請求の範囲】
【請求項１】
目的地までの進行経路を案内するための経路案内装置であって、
利用者によって入力される条件に基づいて、目的地までの進行経路の探索を行う経路探索手段と、
所定の映像表示領域に撮影中の映像を表示する映像表示手段と、
進行経路の案内に供される情報を表す拡張現実画像のうちの図形で表される画像である第１の拡張現実画像を、前記映像表示手段によって表示されている撮影映像に重ねて表示する第１の拡張現実画像表示手段と、
進行経路の案内に供される情報を表す拡張現実画像のうちの文字で表される画像であって前記第１の拡張現実画像に対応する第２の拡張現実画像を表示する第２の拡張現実画像表示手段と、
前記経路探索手段によって得られた進行経路を示す地図および前記第２の拡張現実画像に対応するランドマークを所定の地図表示領域に表示する地図表示手段と、
一端を前記第１の拡張現実画像または前記ランドマークの少なくとも一方とし、他端を前記第２の拡張現実画像とするリンク線を表示するリンク線表示手段と
を備え、
前記第２の拡張現実画像表示手段は、１以上の前記第２の拡張現実画像が同じ並び順で表示されている期間中、各第２の拡張現実画像を微小距離だけ移動し得る範囲内の位置に表示することを特徴とする、経路案内装置。
【請求項２】
前記リンク線表示手段は、前記リンク線の一端を前記第１の拡張現実画像と前記ランドマークとの間で切り替えることができることを特徴とする、請求項１に記載の経路案内装置。
【請求項３】
前記リンク線表示手段は、
一端を前記第１の拡張現実画像とし、他端を前記第２の拡張現実画像とするリンク線を表示し、
前記映像表示領域に表示されている第１の拡張現実画像の位置の変化に応じて、リアルタイムで前記リンク線を描画することを特徴とする、請求項１に記載の経路案内装置。
【請求項４】
前記第２の拡張現実画像に対応する第１の拡張現実画像の位置が前記映像表示領域外に存在するときの当該第１の拡張現実画像の位置を仮想表示位置と定義したとき、前記リンク線表示手段は、前記第２の拡張現実画像の表示位置から前記仮想表示位置へと伸びるように前記リンク線を描画することを特徴とする、請求項３に記載の経路案内装置。
【請求項５】
１以上の前記第２の拡張現実画像が同じ並び順で表示されている期間中、各第２の拡張現実画像の表示位置は、完全に固定されていることを特徴とする、請求項１から４までのいずれか１項に記載の経路案内装置。
【請求項６】
１以上の前記第２の拡張現実画像が同じ並び順で表示されている期間中、各第２の拡張現実画像は、縦方向または横方向の一方のみに微小距離だけ移動し得ることを特徴とする、請求項１から４までのいずれか１項に記載の経路案内装置。
【請求項７】
前記第２の拡張現実画像表示手段は、複数の第２の拡張現実画像を表示する際、任意の２つの第２の拡張現実画像が互いに重なることのないように、前記複数の第２の拡張現実画像を配置することを特徴とする、請求項１から６までのいずれか１項に記載の経路案内装置。
【請求項８】
前記第２の拡張現実画像表示手段は、前記映像表示領域のうちの中央部よりも上方の領域に前記第２の拡張現実画像を表示することを特徴とする、請求項１から７までのいずれか１項に記載の経路案内装置。
【請求項９】
前記第２の拡張現実画像表示手段は、前記撮影映像のうちの空に相当する映像が表示されている領域に前記第２の拡張現実画像を表示することを特徴とする、請求項８に記載の経路案内装置。
【請求項１０】
前記第２の拡張現実画像表示手段は、前記映像表示領域および前記地図表示領域とは別に設けられている文字表示領域に前記第２の拡張現実画像を表示することを特徴とする、請求項１から９までのいずれか１項に記載の経路案内装置。
【請求項１１】
前記リンク線表示手段は、任意の第２の拡張現実画像と当該第２の拡張現実画像に対応するリンク線とが同じ色になるように、各リンク線を表示することを特徴とする、請求項１から１０までのいずれか１項に記載の経路案内装置。
【請求項１２】
前記第２の拡張現実画像表示手段は、任意の第１の拡張現実画像と当該第１の拡張現実画像に対応する第２の拡張現実画像とが同じ色になるように、各第２の拡張現実画像を表示することを特徴とする、請求項１１に記載の経路案内装置。
【請求項１３】
前記経路探索手段は、道路および避難所の情報を用いて、目的地である避難所と当該避難所までの避難経路の探索を行うことを特徴とする、請求項１から１２までのいずれか１項に記載の経路案内装置。
【請求項１４】
目的地までの進行経路を端末装置を用いて案内する経路案内方法であって、
前記端末装置の利用者によって入力される条件に基づいて、前記端末装置が目的地までの進行経路の探索を行う経路探索ステップと、
前記端末装置の所定の映像表示領域に撮影中の映像を表示する映像表示ステップと、
進行経路の案内に供される情報を表す拡張現実画像のうちの図形で表される画像である第１の拡張現実画像を、前記映像表示ステップによって表示されている撮影映像に重ねて表示する第１の拡張現実画像表示ステップと、
進行経路の案内に供される情報を表す拡張現実画像のうちの文字で表される画像であって前記第１の拡張現実画像に対応する第２の拡張現実画像を表示する第２の拡張現実画像表示ステップと、
前記経路探索ステップで得られた進行経路を示す地図および前記第２の拡張現実画像に対応するランドマークを前記端末装置の所定の地図表示領域に表示する地図表示ステップと、
一端を前記第１の拡張現実画像または前記ランドマークの少なくとも一方とし、他端を前記第２の拡張現実画像とするリンク線を表示するリンク線表示ステップと
を含み、
前記第２の拡張現実画像表示ステップでは、１以上の前記第２の拡張現実画像が同じ並び順で表示されている期間中、各第２の拡張現実画像は微小距離だけ移動し得る範囲内の位置に表示されることを特徴とする、経路案内方法。
【請求項１５】
目的地までの進行経路を案内するための、端末装置で実行される経路案内プログラムであって、
前記端末装置の利用者によって入力される条件に基づいて、目的地までの進行経路の探索を行う経路探索ステップと、
前記端末装置の所定の映像表示領域に撮影中の映像を表示する映像表示ステップと、
進行経路の案内に供される情報を表す拡張現実画像のうちの図形で表される画像である第１の拡張現実画像を、前記映像表示ステップによって表示されている撮影映像に重ねて表示する第１の拡張現実画像表示ステップと、
進行経路の案内に供される情報を表す拡張現実画像のうちの文字で表される画像であって前記第１の拡張現実画像に対応する第２の拡張現実画像を表示する第２の拡張現実画像表示ステップと、
前記経路探索ステップで得られた進行経路を示す地図および前記第２の拡張現実画像に対応するランドマークを前記端末装置の所定の地図表示領域に表示する地図表示ステップと、
一端を前記第１の拡張現実画像または前記ランドマークの少なくとも一方とし、他端を前記第２の拡張現実画像とするリンク線を表示するリンク線表示ステップと
を前記端末装置に含まれるコンピュータのＣＰＵがメモリを利用して実行し、
前記第２の拡張現実画像表示ステップでは、１以上の前記第２の拡張現実画像が同じ並び順で表示されている期間中、各第２の拡張現実画像は微小距離だけ移動し得る範囲内の位置に表示されることを特徴とする、経路案内プログラム。
【請求項１６】
前記リンク線表示ステップでは、前記リンク線の一端を前記第１の拡張現実画像と前記ランドマークとの間で切り替えることができることを特徴とする、請求項１５に記載の経路案内プログラム。
【請求項１７】
前記リンク線表示ステップでは、
一端を前記第１の拡張現実画像とし、他端を前記第２の拡張現実画像とするリンク線が表示され、
前記映像表示領域に表示されている第１の拡張現実画像の位置の変化に応じて、リアルタイムで前記リンク線が描画されることを特徴とする、請求項１５に記載の経路案内プログラム。
【請求項１８】
前記第２の拡張現実画像に対応する第１の拡張現実画像の位置が前記映像表示領域外に存在するときの当該第１の拡張現実画像の位置を仮想表示位置と定義したとき、前記リンク線表示ステップでは、前記第２の拡張現実画像の表示位置から前記仮想表示位置へと伸びるように前記リンク線が描画されることを特徴とする、請求項１７に記載の経路案内プログラム。
【請求項１９】
１以上の前記第２の拡張現実画像が同じ並び順で表示されている期間中、各第２の拡張現実画像の表示位置は、完全に固定されていることを特徴とする、請求項１５から１８までのいずれか１項に記載の経路案内プログラム。
【請求項２０】
１以上の前記第２の拡張現実画像が同じ並び順で表示されている期間中、各第２の拡張現実画像は、縦方向または横方向の一方のみに微小距離だけ移動し得ることを特徴とする、請求項１５から１８までのいずれか１項に記載の経路案内プログラム。
【請求項２１】
前記第２の拡張現実画像表示ステップでは、複数の第２の拡張現実画像が表示される際、任意の２つの第２の拡張現実画像が互いに重なることのないように、前記複数の第２の拡張現実画像が配置されることを特徴とする、請求項１５から２０までのいずれか１項に記載の経路案内プログラム。
【請求項２２】
前記第２の拡張現実画像表示ステップでは、前記映像表示領域のうちの中央部よりも上方の領域に前記第２の拡張現実画像が表示されることを特徴とする、請求項１５から２１までのいずれか１項に記載の経路案内プログラム。
【請求項２３】
前記第２の拡張現実画像表示ステップでは、前記撮影映像のうちの空に相当する映像が表示されている領域に前記第２の拡張現実画像が表示されることを特徴とする、請求項２２までのいずれか１項に記載の経路案内プログラム。
【請求項２４】
前記第２の拡張現実画像表示ステップでは、前記映像表示領域および前記地図表示領域とは別に設けられている文字表示領域に前記第２の拡張現実画像が表示されることを特徴とする、請求項１５から２３までのいずれか１項に記載の経路案内プログラム。
【請求項２５】
前記リンク線表示ステップでは、任意の第２の拡張現実画像と当該第２の拡張現実画像に対応するリンク線とが同じ色になるように、各リンク線が表示されることを特徴とする、請求項１５から２４までのいずれか１項に記載の経路案内プログラム。
【請求項２６】
前記第２の拡張現実画像表示ステップでは、任意の第１の拡張現実画像と当該第１の拡張現実画像に対応する第２の拡張現実画像とが同じ色になるように、各第２の拡張現実画像が表示されることを特徴とする、請求項２５に記載の経路案内プログラム。
【請求項２７】
前記経路探索ステップでは、道路および避難所の情報を用いて、目的地である避難所と当該避難所までの避難経路の探索が行われることを特徴とする、請求項１５から２６までのいずれか１項に記載の経路案内プログラム。
【発明の詳細な説明】
【技術分野】
【０００１】
本発明は、端末装置（典型的には携帯電話などの携帯端末装置）のユーザーに目的地（例えば地震などの災害が発生した際の避難所）までの経路の情報を提供する経路案内装置、経路案内方法、および経路案内プログラムに関する。
【背景技術】
【０００２】
携帯電話などの携帯端末装置の高機能化・高解像度化により、近年、地図を利用するアプリケーションソフトウェアが多く開発されている。そのようなアプリケーションソフトウェアの１つとして、携帯端末装置の利用者（以下、「ユーザー」という。）を目的地に案内するための「経路探索アプリ」などと呼ばれるアプリケーションソフトウェアが知られている。経路探索アプリを利用することにより、ユーザーは手元に地図がない場合でも目的地に容易にたどり着くことができる。
【０００３】
ところで、地震などによる広範囲にわたる災害が発生した場合、人々は直ちに近くの避難所に移動して身の安全や必要な物資・情報を確保する必要がある。近年、比較的規模の大きい災害が多く発生していることから、災害発生時に人々を速やかに避難所に誘導することが重要視されている。これに関し、携帯電話などの携帯端末装置が近年広く普及してきたことから、災害発生時に携帯端末装置を用いてユーザーを避難所に誘導することが考えられている。具体的には、携帯端末装置用の経路探索アプリの１つとして、避難所までの経路案内に特化したアプリケーションソフトウェア（以下、「避難誘導アプリ」という。）も提供されている。
【０００４】
ところが、地震などの災害の発生時には、人は、パニック状態になって論理的な判断を行うことが困難となり、地図を正しく読めなくなることがある。また、土地勘のない観光客にとっては、現在位置を基準とした方角がわからないことが多い。特に、外国人旅行者など日本語を読むことのできない者にとっては、方角の判断がより困難となる。以上のようなことから、災害発生によってユーザーがパニック状態になっていても当該ユーザーを避難所まで速やかに誘導することのできる避難誘導アプリの開発が望まれている。
【０００５】
ところで、近年、携帯端末装置に付随するカメラで撮影している映像（以下、便宜上「風景映像」という。）にエアタグと呼ばれる仮想的画像を付加して表示する拡張現実技術（ＡＲ技術）が発達しつつある。そこで、経路探索アプリにおいても、各種情報を表すエアタグを風景映像に付加して表示することが行われている。
【０００６】
また、本件発明に関連して、特開２００７−１２７４３７号公報には、実写画像と地図画像との対応関係をユーザーに提示する情報表示装置の発明が開示されている。この情報表示装置によれば、ユーザーが実写画像または地図画像のいずれか一方の構造物を指定すると、他方の画像中の対応する構造物が強調表示される。また、特開２０１４−２２７８号公報には、所定の視点から見た風景のパノラマ画像の一部分であるパノラマ図と２次元地図とが互いに連動表示する地図表示装置の発明が開示されている。
【先行技術文献】
【特許文献】
【０００７】
【特許文献１】特開２００７−１２７４３７号公報
【特許文献２】特開２０１４−２２７８号公報
【発明の概要】
【発明が解決しようとする課題】
【０００８】
上述した拡張現実技術を用いれば、避難誘導アプリにおいて、ユーザーが撮影している風景映像に、避難経路の案内に供される情報（避難所の情報、災害箇所の情報など）としてのエアタグを付加的に表示することができる。また、文字で構成された文字タグと呼ばれる仮想的画像についても、ユーザーが撮影している風景映像に付加的に表示することができる。なお、文字タグはエアタグの一種であるが、本明細書においては、図形の形態で表される仮想的画像のことを「エアタグ」といい、文字の形態で表される仮想的画像のことを「文字タグ」という。このようなエアタグや文字タグが付加された風景映像と避難経路を示す地図とを１つの画面上に表示した場合、例えば図３５に示すような画像（地図および映像）が表示部に表示される。図３５に示す例では、風景映像中に、避難所，進行経路，火災，水害などを表すエアタグが表示されるともに、それらのエアタグに対応する情報を表す文字タグが表示されている。
【０００９】
ところで、図３５に示す例では、文字タグはエアタグの近傍に配置されている。このような配置が行われる場合、風景映像中の建物や道路が表示されている領域にエアタグや文字タグが密に混在してユーザーにとって視認性の悪い映像となるおそれがある。そこで、映像の視認性を良くするために、例えば図３６に示すように、文字タグをエアタグから離れた位置に配置することが考えられる。しかしながら、風景映像中に同じ種類のエアタグが多数含まれている場合、ユーザーにとっては、各エアタグと各文字タグとを正確に対応付けることは困難である。従って、ユーザーにとっては、各文字タグがどのエアタグの説明を表しているのかを把握することが困難となる。このため、特に災害発生によってユーザーがパニック状態になっている場合には、ユーザーの迅速な避難が阻害されることやユーザーが誤って避難経路からそれてしまうこと等が考えられる。
【００１０】
そこで本発明は、良好な視認性を有し、かつ、文字タグがどの事物・事象の説明をしているのかをユーザーが容易に把握することのできる経路案内装置を実現することを目的とする。
【課題を解決するための手段】
【００１１】
第１の発明は、目的地までの進行経路を案内するための経路案内装置であって、
利用者によって入力される条件に基づいて、目的地までの進行経路の探索を行う経路探索手段と、
所定の映像表示領域に撮影中の映像を表示する映像表示手段と、
進行経路の案内に供される情報を表す拡張現実画像のうちの図形で表される画像である第１の拡張現実画像を、前記映像表示手段によって表示されている撮影映像に重ねて表示する第１の拡張現実画像表示手段と、
進行経路の案内に供される情報を表す拡張現実画像のうちの文字で表される画像であって前記第１の拡張現実画像に対応する第２の拡張現実画像を表示する第２の拡張現実画像表示手段と、
前記経路探索手段によって得られた進行経路を示す地図および前記第２の拡張現実画像に対応するランドマークを所定の地図表示領域に表示する地図表示手段と、
一端を前記第１の拡張現実画像または前記ランドマークの少なくとも一方とし、他端を前記第２の拡張現実画像とするリンク線を表示するリンク線表示手段と
を備え、
前記第２の拡張現実画像表示手段は、１以上の前記第２の拡張現実画像が同じ並び順で表示されている期間中、各第２の拡張現実画像を微小距離だけ移動し得る範囲内の位置に表示することを特徴とする。
【００１２】
第２の発明は、第１の発明において、
前記リンク線表示手段は、前記リンク線の一端を前記第１の拡張現実画像と前記ランドマークとの間で切り替えることができることを特徴とする。
【００１３】
第３の発明は、第１の発明において、
前記リンク線表示手段は、
一端を前記第１の拡張現実画像とし、他端を前記第２の拡張現実画像とするリンク線を表示し、
前記映像表示領域に表示されている第１の拡張現実画像の位置の変化に応じて、リアルタイムで前記リンク線を描画することを特徴とする。
【００１４】
第４の発明は、第３の発明において、
前記第２の拡張現実画像に対応する第１の拡張現実画像の位置が前記映像表示領域外に存在するときの当該第１の拡張現実画像の位置を仮想表示位置と定義したとき、前記リンク線表示手段は、前記第２の拡張現実画像の表示位置から前記仮想表示位置へと伸びるように前記リンク線を描画することを特徴とする。
【００１５】
第５の発明は、第１から第４までのいずれかの発明において、
１以上の前記第２の拡張現実画像が同じ並び順で表示されている期間中、各第２の拡張現実画像の表示位置は、完全に固定されていることを特徴とする。
【００１６】
第６の発明は、第１から第４までのいずれかの発明において、
１以上の前記第２の拡張現実画像が同じ並び順で表示されている期間中、各第２の拡張現実画像は、縦方向または横方向の一方のみに微小距離だけ移動し得ることを特徴とする。
【００１７】
第７の発明は、第１から第６までのいずれかの発明において、
前記第２の拡張現実画像表示手段は、複数の第２の拡張現実画像を表示する際、任意の２つの第２の拡張現実画像が互いに重なることのないように、前記複数の第２の拡張現実画像を配置することを特徴とする。
【００１８】
第８の発明は、第１から第７までのいずれかの発明において、
前記第２の拡張現実画像表示手段は、前記映像表示領域のうちの中央部よりも上方の領域に前記第２の拡張現実画像を表示することを特徴とする。
【００１９】
第９の発明は、第８の発明において、
前記第２の拡張現実画像表示手段は、前記撮影映像のうちの空に相当する映像が表示されている領域に前記第２の拡張現実画像を表示することを特徴とする。
【００２０】
第１０の発明は、第１から第９までのいずれかの発明において、
前記第２の拡張現実画像表示手段は、前記映像表示領域および前記地図表示領域とは別に設けられている文字表示領域に前記第２の拡張現実画像を表示することを特徴とする。
【００２１】
第１１の発明は、第１から第１０までのいずれかの発明において、
前記リンク線表示手段は、任意の第２の拡張現実画像と当該第２の拡張現実画像に対応するリンク線とが同じ色になるように、各リンク線を表示することを特徴とする。
【００２２】
第１２の発明は、第１１の発明において、
前記第２の拡張現実画像表示手段は、任意の第１の拡張現実画像と当該第１の拡張現実画像に対応する第２の拡張現実画像とが同じ色になるように、各第２の拡張現実画像を表示することを特徴とする。
【００２３】
第１３の発明は、第１から第１２までのいずれかの発明において、
前記経路探索手段は、道路および避難所の情報を用いて、目的地である避難所と当該避難所までの避難経路の探索を行うことを特徴とする。
【００２４】
第１４の発明は、目的地までの進行経路を端末装置を用いて案内する経路案内方法であって、
前記端末装置の利用者によって入力される条件に基づいて、前記端末装置が目的地までの進行経路の探索を行う経路探索ステップと、
前記端末装置の所定の映像表示領域に撮影中の映像を表示する映像表示ステップと、
進行経路の案内に供される情報を表す拡張現実画像のうちの図形で表される画像である第１の拡張現実画像を、前記映像表示ステップによって表示されている撮影映像に重ねて表示する第１の拡張現実画像表示ステップと、
進行経路の案内に供される情報を表す拡張現実画像のうちの文字で表される画像であって前記第１の拡張現実画像に対応する第２の拡張現実画像を表示する第２の拡張現実画像表示ステップと、
前記経路探索ステップで得られた進行経路を示す地図および前記第２の拡張現実画像に対応するランドマークを前記端末装置の所定の地図表示領域に表示する地図表示ステップと、
一端を前記第１の拡張現実画像または前記ランドマークの少なくとも一方とし、他端を前記第２の拡張現実画像とするリンク線を表示するリンク線表示ステップと
を含み、
前記第２の拡張現実画像表示ステップでは、１以上の前記第２の拡張現実画像が同じ並び順で表示されている期間中、各第２の拡張現実画像は微小距離だけ移動し得る範囲内の位置に表示されることを特徴とする。
【００２５】
第１５の発明は、目的地までの進行経路を案内するための、端末装置で実行される経路案内プログラムであって、
前記端末装置の利用者によって入力される条件に基づいて、目的地までの進行経路の探索を行う経路探索ステップと、
前記端末装置の所定の映像表示領域に撮影中の映像を表示する映像表示ステップと、
進行経路の案内に供される情報を表す拡張現実画像のうちの図形で表される画像である第１の拡張現実画像を、前記映像表示ステップによって表示されている撮影映像に重ねて表示する第１の拡張現実画像表示ステップと、
進行経路の案内に供される情報を表す拡張現実画像のうちの文字で表される画像であって前記第１の拡張現実画像に対応する第２の拡張現実画像を表示する第２の拡張現実画像表示ステップと、
前記経路探索ステップで得られた進行経路を示す地図および前記第２の拡張現実画像に対応するランドマークを前記端末装置の所定の地図表示領域に表示する地図表示ステップと、
一端を前記第１の拡張現実画像または前記ランドマークの少なくとも一方とし、他端を前記第２の拡張現実画像とするリンク線を表示するリンク線表示ステップと
を前記端末装置に含まれるコンピュータのＣＰＵがメモリを利用して実行し、
前記第２の拡張現実画像表示ステップでは、１以上の前記第２の拡張現実画像が同じ並び順で表示されている期間中、各第２の拡張現実画像は微小距離だけ移動し得る範囲内の位置に表示されることを特徴とする。
【００２６】
第１６の発明は、第１５の発明において、
前記リンク線表示ステップでは、前記リンク線の一端を前記第１の拡張現実画像と前記ランドマークとの間で切り替えることができることを特徴とする。
【００２７】
第１７の発明は、第１５の発明において、
前記リンク線表示ステップでは、
一端を前記第１の拡張現実画像とし、他端を前記第２の拡張現実画像とするリンク線が表示され、
前記映像表示領域に表示されている第１の拡張現実画像の位置の変化に応じて、リアルタイムで前記リンク線が描画されることを特徴とする。
【００２８】
第１８の発明は、第１７の発明において、
前記第２の拡張現実画像に対応する第１の拡張現実画像の位置が前記映像表示領域外に存在するときの当該第１の拡張現実画像の位置を仮想表示位置と定義したとき、前記リンク線表示ステップでは、前記第２の拡張現実画像の表示位置から前記仮想表示位置へと伸びるように前記リンク線が描画されることを特徴とする。
【００２９】
第１９の発明は、第１５から第１８までのいずれかの発明において、
１以上の前記第２の拡張現実画像が同じ並び順で表示されている期間中、各第２の拡張現実画像の表示位置は、完全に固定されていることを特徴とする。
【００３０】
第２０の発明は、第１５から第１８までのいずれかの発明において、
１以上の前記第２の拡張現実画像が同じ並び順で表示されている期間中、各第２の拡張現実画像は、縦方向または横方向の一方のみに微小距離だけ移動し得ることを特徴とする。
【００３１】
第２１の発明は、第１５から第２０までのいずれかの発明において、
前記第２の拡張現実画像表示ステップでは、複数の第２の拡張現実画像が表示される際、任意の２つの第２の拡張現実画像が互いに重なることのないように、前記複数の第２の拡張現実画像が配置されることを特徴とする。
【００３２】
第２２の発明は、第１５から第２１までのいずれかの発明において、
前記第２の拡張現実画像表示ステップでは、前記映像表示領域のうちの中央部よりも上方の領域に前記第２の拡張現実画像が表示されることを特徴とする。
【００３３】
第２３の発明は、第２２の発明において、
前記第２の拡張現実画像表示ステップでは、前記撮影映像のうちの空に相当する映像が表示されている領域に前記第２の拡張現実画像が表示されることを特徴とする。
【００３４】
第２４の発明は、第１５から第２３までのいずれかの発明において、
前記第２の拡張現実画像表示ステップでは、前記映像表示領域および前記地図表示領域とは別に設けられている文字表示領域に前記第２の拡張現実画像が表示されることを特徴とする。
【００３５】
第２５の発明は、第１５から第２４までのいずれかの発明において、
前記リンク線表示ステップでは、任意の第２の拡張現実画像と当該第２の拡張現実画像に対応するリンク線とが同じ色になるように、各リンク線が表示されることを特徴とする。
【００３６】
第２６の発明は、第２５の発明において、
前記第２の拡張現実画像表示ステップでは、任意の第１の拡張現実画像と当該第１の拡張現実画像に対応する第２の拡張現実画像とが同じ色になるように、各第２の拡張現実画像が表示されることを特徴とする。
【００３７】
第２７の発明は、第１５から第２６までのいずれかの発明において、
前記経路探索ステップでは、道路および避難所の情報を用いて、目的地である避難所と当該避難所までの避難経路の探索が行われることを特徴とする。
【発明の効果】
【００３８】
上記第１の発明によれば、映像表示領域には、撮影映像とともにエアタグ（第１の拡張現実画像）が表示され、地図表示領域には、目的地までの進行経路を示す地図が表示されるとともに映像表示領域内のエアタグに対応するランドマークが表示される。また、エアタグに対応する文字タグ（第２の拡張現実画像）が所定の領域に表示される。以上のような表示が行われる経路案内装置において、文字タグとエアタグとを結ぶリンク線または文字タグとランドマークとを結ぶリンク線のうちの少なくとも一方が表示される。このため、各文字タグとそれに対応するエアタグやランドマークとの対応関係の把握が容易になる。従って、ユーザーは、各文字タグがどの事物・事象に関する説明をしているのかを容易に把握することが可能となる。また、各文字タグはほぼ同じ位置に固定された状態で表示される。このため、ユーザーの動きに伴う文字タグの表示位置のぶれが抑制される。これにより、ユーザーが移動しながら経路案内装置を使用していても、良好な視認性を有する画像がユーザーに提供される。以上より、良好な視認性を有し、かつ、画面上に表示されている文字タグがどの事物・事象の説明をしているのかをユーザーが容易に把握することのできる経路案内装置が実現される。
【００３９】
上記第２の発明によれば、ユーザーは、リンク線の一端をエアタグとランドマークとの間で切り替えることが可能となる。
【００４０】
上記第３の発明によれば、ユーザーによって装置の向きが変えられたり、あるいは、ユーザーが進行経路をたどることによって装置の位置が移動しても、常にエアタグとそれに対応する文字タグとがリンク線によって結ばれる。
【００４１】
上記第４の発明によれば、エアタグが視野角の範囲外に位置する場合であっても、文字タグの表示位置からエアタグの仮想表示位置へと伸びるようにリンク線が表示される。このため、ユーザーは、文字タグが視野角の範囲外の事物・事象についての情報を表している旨を把握することが可能となる。
【００４２】
上記第５の発明によれば、文字タグは完全に固定された状態で表示されるので、ユーザーの動きに伴って文字タグの表示位置がぶれることはない。これにより、きわめて良好な視認性を有する画像がユーザーに提供される。
【００４３】
上記第６の発明によれば、文字タグはほぼ同じ位置に固定された状態で表示されるので、ユーザーの動きに伴う文字タグの表示位置のぶれが抑制される。ここで、仮に文字タグが完全に固定された状態で表示された場合、ユーザーが文字タグを例えばボタン（メニューボタン）と誤認することが懸念される。この点、文字タグが微小距離だけ移動し得るように構成されていると、例えばユーザーの動きに伴って文字タグがわずかに動くので、ユーザーによる上述のような誤認が防止される。
【００４４】
上記第７の発明によれば、２つの文字タグが互いに重なり合うことが防止されるので、有用な情報が文字で確実にユーザーに提供される。
【００４５】
上記第８の発明によれば、映像表示領域においてエアタグと文字タグとが密に混在することや有用な情報が文字タグによって隠されることが抑制される。
【００４６】
上記第９の発明によれば、より効果的に、映像表示領域においてエアタグと文字タグとが密に混在することや有用な情報が文字タグによって隠されることが抑制される。
【００４７】
上記第１０の発明によれば、エアタグと文字タグとは異なる領域に表示されるので、エアタグと文字タグとが混在することや有用な情報が文字タグによって隠されることが確実に防止される。
【００４８】
上記第１１の発明によれば、画面上の文字タグと当該文字タグに対応するリンク線とは同じ色で表示される。このため、ユーザーは、文字タグとリンク線との対応関係を容易に把握することができる。これにより、より速やかにユーザーを目的地に誘導することが可能となる。
【００４９】
上記第１２の発明によれば、映像表示領域中のエアタグと当該エアタグに対応する文字タグとは同じ色で表示される。このため、ユーザーは、エアタグと文字タグとの対応関係を容易に把握することができる。これにより、より速やかにユーザーを目的地に誘導することが可能となる。
【００５０】
上記第１３の発明によれば、ユーザーに避難経路を案内するための経路案内装置において、表示画像に関して良好な視認性が得られるとともに、画面上に表示されている文字タグがどの事物・事象の説明をしているのかを容易に把握することが可能となる。
【００５１】
上記第１４の発明によれば、上記第１の発明と同様の効果を経路案内方法の発明において奏することができる。
【００５２】
上記第１５から上記第２７の発明によれば、それぞれ上記第１から上記第１３の発明と同様の効果を経路案内プログラムの発明において奏することができる。
【図面の簡単な説明】
【００５３】
【図１】本発明の一実施形態に係る避難誘導システムを実現する機器構成を示すブロック図である。
【図２】上記実施形態において、携帯端末装置のハードウェア構成を示すブロック図である。
【図３】上記実施形態において、表示部内の領域についての詳細を示す図である。
【図４】上記実施形態において、携帯端末装置の詳細な機能構成を示すブロック図である。
【図５】上記実施形態において、個人状況入力手段の一画面例を示す図である。
【図６】上記実施形態において、移動可能距離入力手段の一画面例を示す図である。
【図７】上記実施形態において、周辺状況入力手段の一画面例を示す図である。
【図８】上記実施形態において、地図表示手段による地図の表示および映像表示手段による風景映像の表示について説明するための図である。
【図９】上記実施形態において、ランドマーク表示手段によるランドマークの表示について説明するための図である。
【図１０】上記実施形態において、ワイヤーフレームについて説明するための図である。
【図１１】上記実施形態において、風景映像にワイヤーフレームが付加された映像の一例を示す図である。
【図１２】上記実施形態において、エアタグ表示手段によるエアタグの表示について説明するための図である。
【図１３】上記実施形態において、文字タグ表示手段による文字タグの表示について説明するための図である。
【図１４】上記実施形態において、文字タグ表示手段による文字タグの表示について説明するための図である。
【図１５】上記実施形態において、文字タグ表示手段による文字タグの表示について説明するための図である。
【図１６】上記実施形態において、リンク線表示手段によるリンク線の表示について説明するための図である。
【図１７】上記実施形態において、リンク線表示手段によるリンク線の表示について説明するための図である。
【図１８】上記実施形態において、携帯端末装置での処理フローを示すフローチャートである。
【図１９】上記実施形態において、風景映像にエアタグが付加された映像の一例を示す図である。
【図２０】上記実施形態において、複数の文字タグの表示について説明するための図である。
【図２１】上記実施形態において、複数の文字タグの表示について説明するための図である。
【図２２】上記実施形態において、文字タグの表示位置について説明するための図である。
【図２３】上記実施形態において、文字タグの表示位置について説明するための図である。
【図２４】上記実施形態において、文字タグの表示位置について説明するための図である。
【図２５】上記実施形態において、風景映像中における文字タグの位置について説明するための図である。
【図２６】上記実施形態において、リンク線と文字タグとの位置関係について説明するための図である。
【図２７】上記実施形態において、リンク線と文字タグとの位置関係について説明するための図である。
【図２８】上記実施形態において、リアルタイムでの表示部へのリンク線の描画について説明するための図である。
【図２９】上記実施形態において、エアタグの位置が映像表示領域外にあるときのリンク線の描画について説明するための図である。
【図３０】上記実施形態において、映像表示領域の上方の領域（空の映像が表示されている領域）に文字タグを配置することによる効果について説明するための図である。
【図３１】上記実施形態の第１の変形例における一表示例を示す図である。
【図３２】上記実施形態の第２の変形例における一表示例を示す図である。
【図３３】上記実施形態の第３の変形例において、リンク線の一端の切り替えについて説明するための図である。
【図３４】上記実施形態の変形例に関し、表示部の下方に地図表示領域を配置して表示部の上方に映像表示領域を配置した場合の一表示例を示す図である。
【図３５】従来例における一表示例を示す図である。
【図３６】文字タグをエアタグから離れた位置に配置した場合の一表示例を示す図である。
【発明を実施するための形態】
【００５４】
以下、添付図面を参照しつつ本発明の一実施形態について説明する。なお、以下においては、「アプリケーションソフトウェア」のことを「アプリ」と略記している。
【００５５】
＜１．全体構成＞
図１は、本発明の一実施形態に係る避難誘導システムを実現する機器構成を示すブロック図である。この避難誘導システムは、携帯端末装置１０とサーバ２０とによって実現される。携帯端末装置１０とサーバ２０とは、インターネットなどの通信回線を介して接続されている。本実施形態においては、この避難誘導システムを実現するために、避難誘導アプリが携帯端末装置１０にインストールされる。避難誘導アプリは、地震などの災害が発生した際にユーザーに現在位置から避難所までの避難経路を提示するためのソフトウェアである。ユーザーは、所定の操作により避難誘導アプリを起動することができる。このような避難誘導アプリを携帯端末装置１０にインストールしておくことにより、ユーザーは、例えば土地勘のない場所で災害に遭遇しても、避難誘導アプリを使用することによって避難所に容易にたどり着くことが可能となる。
【００５６】
図２は、携帯端末装置１０のハードウェア構成を示すブロック図である。携帯端末装置１０は、ＣＰＵ１１，フラッシュＲＯＭ１２，ＲＡＭ１３，通信制御部１４，映像撮影部（カメラ）１５，ＧＰＳ処理部１６，入力操作部１７，表示部１８，および傾きセンサ１９を有している。ＣＰＵ１１は、この携帯端末装置１０の全体を制御するために各種演算処理等を行う。フラッシュＲＯＭ１２は、書き込み可能な不揮発性のメモリであって、携帯端末装置１０の電源がオフされても保持されるべき各種プログラム・各種データを格納する。ＲＡＭ１３は、書き込み可能な揮発性のメモリであって、実行中のプログラムやデータ等を一時的に格納する。通信制御部１４は、外部へのデータ送信の制御や外部からのデータ受信の制御を行う。映像撮影部（カメラ）１５は、ユーザーによる操作に基づいて、現在位置から見える風景の撮影を行う。ＧＰＳ処理部１６は、ＧＰＳ衛星から受信する電波に基づいて、ユーザーの現在位置を特定するための位置情報（緯度・経度の情報）を取得する。入力操作部１７は、例えばタッチパネルであって、ユーザーによる入力操作を受け付ける。表示部１８は、ＣＰＵ１１からの指令に基づいて、画像の表示を行う。傾きセンサ１９は、この携帯端末装置１０の傾きを示す角度情報を取得する。
【００５７】
避難誘導アプリが実行されているときにユーザーによって映像撮影部１５を用いた撮影が行われると、表示部１８内の領域は、例えば図３に示すように、地図を表示するための領域（以下、「地図表示領域」という。）１８ａと映像撮影部１５による撮影で得られる映像（風景映像）を表示するための領域（以下、「映像表示領域」という。）１８ｂとに分割される。本実施形態においては、図３に示すように、表示部１８の上方に地図表示領域１８ａが配置され、表示部１８の下方に映像表示領域１８ｂが配置される。
【００５８】
携帯端末装置１０内において、避難誘導アプリを実現する避難誘導プログラムは、フラッシュＲＯＭ１２に格納される。ユーザーによって避難誘導アプリの起動が指示されると、フラッシュＲＯＭ１２に格納されている避難誘導プログラムがＲＡＭ１３に読み出され、そのＲＡＭ１３に読み出された避難誘導プログラムをＣＰＵ１１が実行することにより、避難誘導アプリの機能がユーザーに提供される。なお、避難誘導プログラムは、典型的にはインターネットなどの通信回線を介して所定のサーバ（不図示）から携帯端末装置１０にダウンロードされ、当該携帯端末装置１０内のフラッシュＲＯＭ１２にインストールされる。このように避難誘導プログラムが携帯端末装置１０にインストールされることにより、本発明に係る経路案内装置が当該携帯端末装置１０によって実現される。
【００５９】
＜２．機能構成＞
図４は、携帯端末装置１０の詳細な機能構成を示すブロック図である。携帯端末装置１０は、ＧＰＳ情報取得手段１００，観光機能選択手段１１０，ユーザー情報送信手段１２０，データ受信手段１２１，データ記憶手段１３０，避難経路探索手段１４０，個人状況入力手段１４１，移動可能距離入力手段１４２，周辺状況入力手段１４３，地図表示手段１５０，観光情報表示手段１６０，映像表示手段１７０，エアタグ表示手段１８０，リンク線表示手段１８１，および文字タグ表示手段１８２を有している。地図表示手段１５０には、ランドマーク表示手段１５２が含まれている。
【００６０】
なお、本実施形態においては、避難経路探索手段１４０によって経路探索手段が実現され、エアタグ表示手段１８０によって第１の拡張現実画像表示手段が実現され、文字タグ表示手段１８２によって第２の拡張現実画像表示手段が実現されている。
【００６１】
ＧＰＳ情報取得手段１００は、ＧＰＳ衛星から受信する電波に基づいてユーザーの現在位置を特定するための位置情報（緯度・経度の情報）を取得し、その位置情報を示すＧＰＳデータＧｄａを出力する。なお、ＧＰＳ情報取得手段１００は、ハードウェアとしてのＧＰＳ処理部１６（図２参照）によって実現される。
【００６２】
観光機能選択手段１１０は、ユーザーの所望する観光機能（観光施設の各種情報の提示，観光コースの案内，宿泊施設・飲食店・土産店の紹介など）をユーザーに選択させるための手段である。ユーザーが観光機能を選択すると、観光機能選択手段１１０は、ユーザーによって選択された観光機能を示す機能選択データＦｄａを出力する。このように、本実施形態における避難誘導アプリは、平常時には観光のための情報をユーザーに提供することが可能となっている。但し、本発明はこれに限定されず、観光情報をユーザーに提供するための機能は必ずしも携帯端末装置１０に設けられていなくても良い。
【００６３】
ユーザー情報送信手段１２０は、ＧＰＳデータＧｄａおよび機能選択データＦｄａをユーザーデータＹｄａとしてサーバ２０に送信する。なお、ＧＰＳデータＧｄａは、例えば、ユーザーがこの避難誘導アプリを起動したタイミングおよびユーザーがこの避難誘導アプリを用いて何らかの操作を行ったタイミングで、携帯端末装置１０からサーバ２０へと送信される。また、ユーザーがこの避難誘導アプリを使用している期間中、所定期間毎にＧＰＳデータＧｄａが携帯端末装置１０からサーバ２０に送信されるようにしても良い。
【００６４】
データ受信手段１２１は、サーバ２０から送信されるサーバデータＳｄａを受信する。このサーバデータＳｄａには、避難経路の探索に有用なデータである有意データＭｄａと、避難経路の案内に供される情報としてのエアタグを表示するためのエアタグデータＡｄａと、避難経路の案内に供される情報としての文字タグを表示するための文字タグデータＣｄａと、観光機能選択手段１１０によってユーザーに選択された観光機能に対応するデータである観光データＫｄａとが含まれている。また、有意データＭｄａには、地図データ，道路データ，避難所データなどの基礎データＢｄａの他に、例えば各道路の混雑度を示すデータが含まれている。サーバ２０から送信されたサーバデータＳｄａのうちの有意データＭｄａは、データ記憶手段１３０に格納される。なお、データ記憶手段１３０はハードウェアとしてのフラッシュＲＯＭ１２またはＲＡＭ１３（図２参照）によって実現される。また、避難誘導プログラムが携帯端末装置１０にインストールされる際に有意データＭｄａをデータ記憶手段１３０にダウンロードしておくことによって、災害発生時に通信状態にかかわらず避難経路の探索を実行することが可能となる。
【００６５】
個人状況入力手段１４１は、災害が発生した際のユーザー（被災者）の被災状況や運動能力（避難経路上の障害を回避・克服できる能力）をユーザーに入力させるための手段である。この個人状況入力手段１４１は、表示部１８に例えば図５に示すような画面を表示することによって実現される。図５に示すように、例えば「登れる」，「走れる」，「平坦のみ」，「車いす」，「足の怪我」，「歩けない」，「担架」，「子連れ」，「乳母車」などの状態を示すボタンが表示される。ユーザーは、該当する状態を示すボタンを押すだけで良い。個人状況入力手段１４１によって入力された内容を示す個人状況データＩｄａは、避難経路探索手段１４０によって使用される。
【００６６】
なお、図５に示した画面は一例であって、画面のレイアウトや画面に表示される項目はこれには限定されない。この点については、後述する移動可能距離入力手段１４２（図６参照）および周辺状況入力手段１４３（図７参照）についても同様である。
【００６７】
移動可能距離入力手段１４２は、災害が発生した際のユーザー（被災者）の移動手段や移動可能距離をユーザーに入力させるための手段である。この移動可能距離入力手段１４２は、表示部１８に例えば図６に示すような画面を表示することによって実現される。図６に示すように、例えば「徒歩」，「自転車」，「車」などの移動手段を示すボタンと、移動可能距離の入力が可能な入力ボックスとが表示される。ユーザーは、該当する移動手段を示すボタンを押し、移動可能距離を入力する。移動可能距離入力手段１４２によって入力された内容を示す移動能力データＤｄａは、避難経路探索手段１４０によって使用される。
【００６８】
周辺状況入力手段１４３は、災害が発生した際のユーザー（被災者）の周辺の状況をユーザーに入力させるための手段である。この周辺状況入力手段１４３は、表示部１８に例えば図７に示すような画面を表示することによって実現される。周辺状況入力手段１４３は、図７に示すように、例えば災害状況および混雑状況の入力が可能なように構成されている。災害状況を入力するための領域には、例えば、「火事」，「水害」，「倒壊」，「地割れ」などの災害の種別を表すボタンと、「激しい」，「強い」，「中程度」，「弱い」などの災害の強度を表すボタンと、災害の規模の入力が可能な入力ボックスとが表示される。混雑状況を入力するための領域には、例えば、「危険」，「強い」，「普通」，「少し」などの混雑の程度を表すボタンと、混雑の範囲の入力が可能な入力ボックスとが表示される。ユーザーは、災害の種別，災害の強度，および混雑の程度を選択し、災害の規模および混雑の範囲を入力する。周辺状況入力手段１４３によって入力された内容を示す周辺状況データＰｄａは、避難経路探索手段１４０によって使用される。
【００６９】
避難経路探索手段１４０は、ＧＰＳデータＧｄａと、ユーザーによって入力されたデータ（個人状況データＩｄａ，移動能力データＤｄａ，および周辺状況データＰｄａ）と、サーバ２０から送信されデータ記憶手段１３０に格納されている有意データＭｄａとに基づいて、ユーザーにとっての最適な避難所・避難経路を探索する。観光情報表示手段１６０は、観光データＫｄａを表示部１８に表示する。
【００７０】
地図表示手段１５０は、データ記憶手段１３０に格納されている基礎データＢｄａに基づいて表示部１８内の地図表示領域１８ａに地図を表示する。その際、避難経路探索手段１４０によって既に避難所・避難経路の探索が行われている場合には、探索結果Ｒｅが地図に反映される。これにより、例えば図８に示すように、地図および探索結果Ｒｅとしての避難経路が地図表示領域１８ａに表示される。この地図表示手段１５０には、表示モードとして、ヘディングアップモードとノースアップモードとが用意されている。ヘディングアップモードとは、ユーザーの進行方向が常に画面上において上方向となるように、ユーザーの進行方向に応じて地図を回転させながら表示するモードである。ノースアップモードとは、北方向が画面上において上方向となるように地図を表示するモードである。また、この地図表示手段１５０は、ピンチ操作（複数の指で画面をつまんだり押し広げたりする操作）等によって地図の拡大・縮小・スクロールが可能なように構成されている。
【００７１】
ランドマーク表示手段１５２は、データ受信手段１２１によって受信されたエアタグデータＡｄａに基づいて、後述するエアタグ表示手段１８０によって映像表示領域１８ｂに表示されるエアタグに対応するランドマーク（このランドマークは、後述する文字タグ表示手段１８２によって表示される文字タグにも対応する。）を地図表示領域１８ａに表示する。ランドマーク表示手段１５２は、例えば、避難所を示すランドマーク，火災や水害などの災害箇所を示すランドマークを表示する。これにより、地図表示領域１８ａには、例えば図９に示すように、ランドマークが付加された地図が表示される。なお、各ランドマークは、地図上において、当該ランドマークに対応するエアタグで表されている事物・事象の位置に表示される。すなわち、ランドマーク表示手段１５２は、地図表示領域１８ａに表示されている地図上の位置のうちの映像表示領域１８ｂに表示されているエアタグに対応付けられる位置に、当該エアタグに対応するランドマークを表示する。
【００７２】
映像表示手段１７０は、上述した映像撮影部１５による撮影で得られる風景映像を表示部１８内の映像表示領域１８ｂに表示する。これにより、例えば、図８に示すように、映像表示領域１８ｂに風景映像が表示される。ところで、この避難誘導アプリにおいては、映像表示領域１８ｂに表示されるエアタグと地図表示領域１８ａに表示されている地図上の位置との対応関係の把握を容易にするために、図１０に示すような「ワイヤーフレーム」と呼ばれる画像が映像表示領域１８ｂに表示される。図１０に示すように、ワイヤーフレームは、進行方向に向かって伸びる縦軸と、進行方向とは垂直方向に伸びる横軸とによって構成される。隣接する２本の縦軸間の距離Ｘおよび隣接する２本の横軸間の距離Ｙは、避難誘導アプリによって定められた一定の距離を表している。
【００７３】
ところで、このワイヤーフレームは、携帯端末装置１０が地表面に対して垂直になっている場合に映像表示領域１８ｂの中心が消失点となるように、遠近法を用いて表示される。従って、携帯端末装置１０が地表面に対して垂直になっていれば、全ての縦軸の一方の端点は、映像表示領域１８ｂの中心に存在する。また、携帯端末装置１０が地表面に対して垂直になっている場合の映像表示領域１８ｂの上下方向についての真ん中のラインが風景映像中の水平線（地平線）であるとみなされる。従って、上記消失点は、風景映像中の水平線（地平線）上に存在する。また、ワイヤーフレームの横軸の間隔については、映像表示領域１８ｂの中心に近づくにつれて狭くなっている。以上のようなワイヤーフレームが風景映像に付加されることにより、図１１に示すような映像が映像表示領域１８ｂに表示される。なお、携帯端末装置１０が上向きになっている場合（映像撮影部１５による撮影方向が水平方向よりも上方向の場合）には、上記消失点は映像表示領域１８ｂの中心よりも下方に位置し、携帯端末装置１０が下向きになっている場合（映像撮影部１５による撮影方向が水平方向よりも下方向の場合）には、上記消失点は映像表示領域１８ｂの中心よりも上方に位置する。
【００７４】
エアタグ表示手段１８０は、データ受信手段１２１によって受信されたエアタグデータＡｄａに基づいて、ユーザーが避難経路をたどって避難する際に当該ユーザーにとって有用となるような情報を表すエアタグ（拡張現実画像）を、ユーザーによって撮影されている風景映像に重ねて表示する。これにより、映像表示領域１８ｂには、例えば、避難所を表すエアタグ，災害（火災，水害など）を表すエアタグ，混雑状況を表すエアタグ，進行経路を表す矢印状のエアタグなどが表示される。例えば図１２に示す映像表示領域１８ｂには、進行経路を表すエアタグ３１，避難所を表すエアタグ３２，および水害を表すエアタグ３３が表示されている。なお、進行経路を表すエアタグ３１を映像表示領域１８ｂに表示することによって、ユーザーは、たとえパニック状態になっていても、目指すべき方向を容易に把握することが可能となる。
【００７５】
ところで、各エアタグは、当該エアタグに対応する位置と現在位置（ユーザーの位置）とに基づく透視変換の結果を用いて表示される。このため、同じ種類の情報を表すエアタグに着目すると、現在位置に近い位置の情報を表すエアタグほど大きく表示され、現在位置から遠い位置の情報を表すエアタグほど小さく表示される。例えば、現在位置から近い位置で発生している火災を表すエアタグは大きく表示され、現在位置から遠い位置で発生している火災を表すエアタグは小さく表示される。また、上述のようにワイヤーフレームが風景映像に付加されていることから、ユーザーは、映像表示領域１８ｂ内におけるエアタグとワイヤーフレームとの位置関係に基づいて、当該エアタグによって表されている事物（例えば避難所）・事象（例えば火災）の地理上の位置や方角をある程度推測することができる。
【００７６】
また、エアタグ表示手段１８０によってエアタグが表示される際には、傾きセンサ１９によって携帯端末装置１０の傾きが検出され、その傾きに応じて、映像表示領域１８ｂにおけるエアタグの表示位置が決定される。具体的には、携帯端末装置１０が上向きになるほど（映像撮影部１５による撮影方向が上方向になるほど）エアタグは映像表示領域１８ｂ中の下方に表示され、携帯端末装置１０が下向きになるほど（映像撮影部１５による撮影方向が下方向になるほど）エアタグは映像表示領域１８ｂ中の上方に表示される。
【００７７】
文字タグ表示手段１８２は、データ受信手段１２１によって受信された文字タグデータＣｄａに基づいて、映像表示領域１８ｂに表示されているエアタグに関する情報を文字で表した文字タグを映像表示領域１８ｂに表示する。例えば、避難所の情報を文字で表した図１３（ａ）に示すような仮想的画像や火災の発生場所を文字で表した図１３（ｂ）に示すような仮想的画像などが文字タグとして表示される。文字タグは、典型的には、風景映像中の空に相当する領域に表示される。以上より、例えば、図１４に示すような画像に文字タグが付加されることによって、表示部１８には図１５に示すような画像が表示される。なお、必ずしも映像表示領域１８ｂに表示されている全てのエアタグについて対応する文字タグが表示される必要はない。文字タグの表示に関する更に詳しい説明は後述する。
【００７８】
リンク線表示手段１８１は、映像表示領域１８ｂに表示される各エアタグの位置データＰＡと各エアタグに対応する文字タグの位置データＰＭとに基づいて、映像表示領域１８ｂ内のエアタグとそれに対応する文字タグとを結ぶ線（以下、「リンク線」という。）を表示部１８に表示する。例えば、図１６（ａ）に示すように、映像表示領域１８ｂにおいて避難所を表すエアタグＡ１が表示されるとともにそのエアタグＡ１に対応する文字タグＭ１が表示されるとき、リンク線表示手段１８１は、図１６（ｂ）に示すように、エアタグＡ１と文字タグＭ１とを結ぶリンク線ＬＫを表示部１８に表示する。このようにして、例えば表示部１８に図１５に示すような画像（地図および映像）が表示されるときには、図１７に示すようにリンク線が表示される。図１７に示す例では、リンク線として、建物等（この例では駅）を表すエアタグと当該エアタグに対応する文字タグとを結ぶリンク線ＬＫ１と、避難所を表すエアタグと当該エアタグに対応する文字タグとを結ぶリンク線ＬＫ２〜ＬＫ４とが表示されている。リンク線の表示に関する更に詳しい説明は後述する。また、図１７においてリンク線ＬＫ４は映像表示領域１８ｂ外に伸びるように表示されているが、これについての説明も後述する。
【００７９】
なお、本実施形態においては、エアタグによって第１の拡張現実画像が実現され、文字タグによって第２の拡張現実画像が実現されている。
【００８０】
＜３．処理フロー＞
次に、図１８に示すフローチャートを参照しつつ、携帯端末装置１０での処理フローについて説明する。携帯端末装置１０では、まず、避難誘導アプリが起動される（ステップＳ１００）。避難誘導アプリの起動後、ユーザーは、経路探索機能を選択する（ステップＳ１１０）。そして、ＧＰＳ情報取得手段１００によるＧＰＳデータＧｄａの取得および当該ＧＰＳデータＧｄａのサーバ２０への送信が行われる（ステップＳ１２０）。その後、ＧＰＳデータＧｄａに基づくサーバデータＳｄａの受信が行われる（ステップＳ１３０）。すなわち、ステップＳ１３０では、携帯端末装置１０は、有意データＭｄａやエアタグデータＡｄａや文字タグデータＣｄａなどをサーバ２０から受信する。
【００８１】
次に、ユーザーは、個人状況入力手段１４１によって、ユーザーの被災状況や運動能力などの個人状況の入力を行う（ステップＳ１４０）。また、ユーザーは、移動可能距離入力手段１４２によって、移動手段および移動可能距離の入力を行う（ステップＳ１５０）。さらに、ユーザーは、周辺状況入力手段１４３によって、ユーザーの周囲の災害状況や混雑状況などの周辺状況の入力を行う（ステップＳ１６０）。
【００８２】
ユーザーによって個人状況，移動手段・移動可能距離，および周辺状況の入力が行われた後、避難経路探索手段１４０による避難経路探索処理（避難所・避難経路を探索する処理）が実行される（ステップＳ１７０）。避難経路探索処理の実行後、ユーザーによって映像撮影部（カメラ）１５による風景映像の撮影が行われ、当該風景映像が表示部１８の映像表示領域１８ｂに表示される（ステップＳ１８０）。
【００８３】
その後、地図表示手段１５０によって、地図，道路，避難所，および避難経路が表示部１８の地図表示領域１８ａに表示される（ステップＳ１９０）。そして、映像表示領域１８ｂに表示されている風景映像に、避難経路の案内に供される情報としてのエアタグが重ねて表示される（ステップＳ２００）。また、各エアタグに対応するランドマークが地図表示領域１８ａの地図上に表示される（ステップＳ２１０）。さらに、各エアタグに対応する文字タグが映像表示領域１８ｂに表示される（ステップＳ２２０）。さらにまた、エアタグと文字タグとを結ぶリンク線が表示部１８に表示される（ステップＳ２３０）。
【００８４】
以上のようにして、例えば、ステップＳ１９０の終了時点においては図１１に示すような画像が表示部１８に表示され、ステップＳ２００の終了時点においては図１９に示すような画像が表示部１８に表示され、ステップＳ２１０の終了時点においては図１４に示すような画像が表示部１８に表示され、ステップＳ２２０の終了時点においては図１５に示すような画像が表示部１８に表示され、ステップＳ２３０の終了時点においては図１７に示すような画像が表示部１８に表示される。但し、ステップＳ１９０からステップＳ２３０までの処理時間は極めて短い時間であるので、人の目には図１７に示すような画像が瞬時に知覚される。
【００８５】
なお、本実施形態においては、ステップＳ１７０によって経路探索ステップが実現され、ステップＳ１８０によって映像表示ステップが実現され、ステップＳ１９０によって地図表示ステップが実現され、ステップＳ２００によって第１の拡張現実画像表示ステップが実現され、ステップＳ２２０によって第２の拡張現実画像表示ステップが実現され、ステップＳ２３０によってリンク線表示ステップが実現されている。
【００８６】
＜４．文字タグ＞
次に、文字タグ表示手段１８２によって映像表示領域１８ｂに表示される文字タグについて詳しく説明する。
【００８７】
＜４．１  複数の文字タグの表示について＞
映像表示領域１８ｂに複数の文字タグが表示される際、それら複数の文字タグが互いに重なることのないように、映像表示領域１８ｂ内における各文字タグの配置位置が決定される。仮に２つの文字タグ（文字タグＭ２および文字タグＭ３）を画面上で横方向に並べて配置すると図２０（ａ）に示すようにそれら２つの文字タグが互いに重なり合う場合、図２０（ｂ）に示すように、画面上における縦方向についての配置位置を文字タグＭ２と文字タグＭ３とで異ならせる。このようにして、映像表示領域１８ｂに表示される任意の２つ文字タグに関し、それら２つの文字タグが互いに重なり合うことが防止されている。
【００８８】
例えば、図２１（ａ）に示すように、２つの文字タグ（文字タグＭ４および文字タグＭ５）の文字の合計数が比較的少ない場合には、それら２つの文字タグは横方向に並べて配置される。これに対して、図２１（ｂ）に示すように、２つの文字タグ（文字タグＭ６および文字タグＭ７）の文字の合計数が比較的多い場合には、画面上において一方の文字タグ（この例では文字タグＭ７）が他方の文字タグ（この例では文字タグＭ６）の下方に配置される。
【００８９】
また、本実施形態においては、図２１（ｂ）に示したように複数の文字タグを縦方向に並べて配置する場合、現在位置（ユーザーの位置）から遠い距離にある事物・事象を表す文字タグほど映像表示領域１８ｂの上方に配置される。但し、本発明はこれに限定されず、現在位置から近い距離にある事物・事象を表す文字タグほど映像表示領域１８ｂの上方に配置しても良いし、それ以外の所定の規則に従って複数の文字タグを映像表示領域１８ｂに配置するようにしても良い。
【００９０】
＜４．２  文字タグの表示位置について＞
本実施形態においては、文字タグが表示されると、当該文字タグはほぼ同じ位置に固定された状態で表示される。詳しくは、文字タグは、微小距離だけ移動し得るような限られた範囲内の位置に表示される。換言すれば、文字タグは、表示されている期間中、完全に同じ位置に固定されているわけではなく、わずかな距離だけ移動し得る。例えば、図２２に示すように文字タグＭ８が表示された場合、当該文字タグＭ８は符号５０の点線で示す範囲内で移動し得る。以上のように、文字タグは、縦方向および横方向に微小距離だけ移動し得る状態で表示される。
【００９１】
但し、現在位置から各文字タグに対応する事物・事象までの距離が変化したことに伴って文字タグの並び順が変わる際には、各文字タグは大きく移動し得る。例えば、図２３（ａ）に示すように４つの文字タグＭ１１〜Ｍ１４が表示されていると仮定する。ここで、文字タグＭ１２および文字タグＭ１３に着目する。図２３（ａ）に示す例では、文字タグＭ１３に対応する避難所から現在位置までの距離よりも文字タグＭ１２に対応する避難所から現在位置までの距離の方が長いので、文字タグＭ１３よりも文字タグＭ１２の方が上方に配置されている。ここで、ユーザーが避難経路をたどったことによって、文字タグＭ１２に対応する避難所から現在位置までの距離よりも文字タグＭ１３に対応する避難所から現在位置までの距離の方が長くなったとする。この場合、図２３（ｂ）に示すように、文字タグＭ１２よりも文字タグＭ１３の方が上方に配置される。また、図２４（ａ）に示すように４つの文字タグＭ１１〜Ｍ１４が表示されていると仮定する。ここで、ユーザーが避難経路をたどったことによって、新たな文字タグＭ１５が表示されるべき状態になったとする。このとき、文字タグＭ１５に対応する事物（ここでは駅）から現在位置までの距離が最も長ければ、図２４（ｂ）に示すように、文字タグＭ１５が最も上方に配置され、文字タグＭ１１〜Ｍ１４はそれぞれ元の位置よりも下方に配置される。
【００９２】
以上のように、本実施形態においては、１以上の文字タグが同じ並び順で表示されている期間中、各文字タグはほぼ同じ位置（微小距離だけ移動し得る範囲内の位置）に固定された状態で表示される。但し、本発明はこれに限定されない。１以上の文字タグが同じ並び順で表示されている期間中、各文字タグの表示位置が完全に固定されても良いし、各文字タグが縦方向または横方向の一方のみに微小距離だけ移動し得るようにしても良い。これに関し、仮に文字タグが完全に固定された状態で表示されると、ユーザーが文字タグを例えばボタン（メニューボタン）と誤認することが懸念される。この点、文字タグが微小距離だけ移動し得るように構成されていると、例えばユーザーの動きに伴って文字タグがわずかに動くので、ユーザーによる上述のような誤認が防止される。
【００９３】
＜４．３  風景映像中における文字タグの位置＞
ユーザーによって映像撮影部１５を用いた風景映像の撮影が行われると、図２５に示すように、映像表示領域１８ｂの上方の領域（符号４０で示す領域）には風景映像のうちの空の映像が表示されることが多い。このような空の映像が表示されている領域に各種情報が表示されたとしても、それらの各種情報は、ユーザーが画面を見ながら避難を行うに際して何ら妨げにはならないと考えられる。そこで、本実施形態においては、映像表示領域１８ｂの上方の領域（空の映像が表示されている領域）に文字タグが配置される。その際、上述したように、複数の文字タグが表示される場合には、それら複数の文字タグが互いに重なることのないように各文字タグの配置位置が決定される。
【００９４】
＜５．リンク線＞
次に、リンク線表示手段１８１によって表示部１８に表示されるリンク線について詳しく説明する。
【００９５】
＜５．１  リンク線と文字タグとの位置関係＞
本実施形態においては、リンク線によってエアタグと文字タグとが結ばれるところ、リンク線の文字タグ側の端部は、文字タグの長手方向のほぼ中央部に配置される。従って、リンク線は、例えば図２６に示すように表示される。このようにして全てのリンク線について一端部を文字タグの長手方向のほぼ中央部に配置することによって、例えば図２７に示すように複数の文字タグＭ１６〜Ｍ１８が表示されている場合に、ユーザーは、文字タグＭ１６はリンク線ＬＫ１６に対応し、文字タグＭ１７はリンク線ＬＫ１７に対応し、文字タグＭ１８はリンク線ＬＫ１８に対応しているということを容易に把握することができる。なお、必ずしもリンク線の文字タグ側の端部を文字タグの長手方向のほぼ中央部に配置する必要はない。例えば、リンク線の文字タグ側の端部を文字タグの長手方向の一端に配置しても良い。
【００９６】
＜５．２  リンク線の色＞
本実施形態においては、各リンク線の色は、対応するエアタグの色および対応する文字タグの色と同じにされる。これにより、エアタグ，文字タグ，およびリンク線の対応関係を把握することがユーザーにとって容易となる。但し、本発明はこれに限定されず、リンク線の色を必ずしも対応するエアタグの色および対応する文字タグの色と同じにする必要はない。
【００９７】
＜５．３  リンク線の描画＞
ユーザーによって携帯端末装置１０の向きが変えられたり、あるいは、ユーザーが避難経路をたどることによって携帯端末装置１０の位置が移動すると、映像表示領域１８ｂに表示されているエアタグの位置が変化する。このようなエアタグの位置の変化にリンク線は追従する。すなわち、リンク線表示手段１８１は、映像表示領域１８ｂに表示されているエアタグの位置の変化に応じて、リアルタイムでリンク線を描画する。
【００９８】
例えば、或る時点において、エアタグＡ２０，文字タグＭ２０，およびリンク線ＬＫ２０が図２８（ａ）に示すように表示されていたと仮定する。ここで、例えばユーザーが進行方向を変えたことによって、映像表示領域１８ｂにおいてエアタグＡ２０の位置が図２８（ｂ）で符号５１で示す矢印のように移動したとする。このとき、エアタグＡ２０の位置の変化に従って、リンク線ＬＫ２０は図２８（ａ）に示す状態から図２８（ｃ）に示す状態に変化する。
【００９９】
ところで、本実施形態に係る避難誘導システムでは、例えば現在位置から所定範囲内にある事物・事象を表すエアタグが映像表示領域１８ｂに表示されるように、表示の設定が行われる。しかしながら、ユーザーの視野角の範囲外にある事物・事象については、たとえ現在位置から所定範囲内にあっても、当該事物・事象を表すエアタグは映像表示領域１８ｂには表示されない。このような場合、本実施形態においては、エアタグに対応する文字タグについては映像表示領域１８ｂに表示される。そして、映像表示領域１８ｂに表示されている文字タグから映像表示領域１８ｂ外におけるエアタグの仮想的な表示位置へと伸びるようにリンク線が表示される。すなわち、文字タグに対応するエアタグの位置が映像表示領域１８ｂ外に存在するときの当該エアタグの位置を仮想表示位置と定義すると、リンク線表示手段１８１は、文字タグの表示位置から仮想表示位置へと伸びるようにリンク線を表示する。
【０１００】
例えば、或る時点において、エアタグＡ２１，文字タグＭ２１，およびリンク線ＬＫ２１が図２９（ａ）に示すように表示されていたと仮定する。ここで、例えばユーザーが避難経路をたどったことによって、エアタグＡ２１の位置が図２９（ｂ）で符号５２で示す矢印のように移動したとする（移動後のエアタグＡ２１の位置は、映像表示領域１８ｂ外の位置である）。このとき、エアタグＡ２１の位置の変化に従って、リンク線ＬＫ２１は図２９（ａ）に示す状態から図２９（ｃ）に示す状態に変化する。
【０１０１】
＜６．効果＞
本実施形態によれば、携帯端末装置１０には、避難経路の探索を行う避難経路探索手段１４０と、避難経路を示す地図を地図表示領域１８ａに表示する地図表示手段１５０と、ユーザーが撮影している風景映像を表示する映像表示手段１７０と、避難経路の案内に供される情報としてのエアタグを風景映像に重ねて表示するエアタグ表示手段１８０と、避難経路の案内に供される情報としての文字タグを表示する文字タグ表示手段１８２と、エアタグと文字タグとを結ぶリンク線を表示するリンク線表示手段１８１とが設けられている。上記構成により、映像表示領域１８ｂには、避難に有用な情報としてのエアタグおよび当該エアタグに対応する文字タグが風景映像とともに表示され、地図表示領域１８ａには、避難経路を示す地図が表示される。そして、エアタグと文字タグとがリンク線によって結ばれる。このため、各エアタグとそれに対応する文字タグとの対応関係の把握が容易になる。従って、ユーザーは、各文字タグがどのエアタグに関する説明をしているのかを容易に把握することが可能となる。また、各文字タグはほぼ同じ位置に固定された状態で表示される。このため、ユーザーの動きに伴う文字タグの表示位置のぶれが抑制される。これにより、ユーザーが移動しながらこの避難誘導アプリを使用していても、良好な視認性を有する画像がユーザーに提供される。以上より、本実施形態によれば、良好な視認性を有し、かつ、画面上に表示されている文字タグがどの事物・事象の説明をしているのかをユーザーが容易に把握することのできる避難誘導システムが実現される。
【０１０２】
また、本実施形態によれば、文字タグ表示手段１８２が設けられていることにより、各エアタグの情報すなわち避難経路をたどる際に有用となる情報（例えば、火災が発生している詳細な場所の情報）を文字でユーザーに提供することが可能となる。これにより、災害発生時に、より詳細な情報がユーザーに提供され、ユーザーは安全かつ確実に避難することが可能となる。
【０１０３】
さらに、本実施形態によれば、互いに対応するエアタグ，文字タグ，およびリンク線は、全て同じ色になっている。このため、ユーザーは、エアタグ，文字タグ，およびリンク線の対応関係を容易に把握することができる。これにより、より速やかにユーザーを避難させることが可能となる。
【０１０４】
さらにまた、本実施形態によれば、映像表示領域１８ｂの上方の領域（空の映像が表示されている領域）に文字タグが配置される。仮に文字タグを当該文字タグに対応するエアタグの近傍に配置した場合、図３０（ａ）に示すように、風景映像中の建物や道路が表示されている領域にエアタグや文字タグが密に混在することとなる。このようにエアタグや文字タグが密に混在する映像は、ユーザーにとっては視認性の悪い映像である。また、避難に際して有用な情報が文字タグによって隠されてしまうことも懸念される。以上より、図３０（ａ）に示すように文字タグが表示される場合、特に災害発生によってユーザーがパニック状態になっていると、ユーザーにとっては進行方向を迅速に正しく把握することが困難である。この点、本実施形態によれば、図３０（ｂ）に示すように、文字タグは映像表示領域１８ｂの上方の領域（空の映像が表示されている領域）４０に表示される。このため、映像表示領域１８ｂにおいてエアタグと文字タグとが密に混在することはなく、また、有用な情報が文字タグによって隠されることもない。しかも、文字タグによって、エアタグで示されている事物（例えば避難所）・事象（例えば火災）に関する詳細な情報をユーザーに提供することができる。さらに、上述したようにエアタグと文字タグとがリンク線によって結ばれるので、たとえ文字タグがエアタグから離れた位置に表示されていても、ユーザーは文字タグとエアタグとの対応関係を容易に把握することが可能となる。
【０１０５】
＜７．変形例など＞
＜７．１  第１の変形例＞
上記実施形態においては、文字タグは映像表示領域１８ｂに表示されていた。しかしながら、本発明はこれに限定されない。本変形例においては、図３１に示すように、地図表示領域１８ａや映像表示領域１８ｂとは別に文字タグ専用の文字表示領域１８ｃが設けられる。そして、その文字表示領域１８ｃに全ての文字タグが表示される。
【０１０６】
本変形例においては、エアタグは映像表示領域１８ｂに表示され、文字タグは文字表示領域１８ｃに表示される。すなわち、エアタグと文字タグとは異なる領域に表示される。従って、エアタグと文字タグとが混在することはない。また、文字タグは文字タグ専用の領域に表示されるので、有用な情報が文字タグによって隠されることもない。さらに、上記実施形態と同様、エアタグと文字タグとはリンク線によって結ばれるので、ユーザーは文字タグとエアタグとの対応関係を容易に把握することができる。
【０１０７】
＜７．２  第２の変形例＞
上記実施形態においては、文字タグとエアタグとがリンク線によって結ばれていた。しかしながら、本発明はこれに限定されず、文字タグと地図表示領域１８ａ内のランドマークとがリンク線によって結ばれるようにしても良い（本変形例の構成）。
【０１０８】
本変形例においては、リンク線表示手段１８１は、映像表示領域１８ｂに表示される各文字タグの位置データと各文字タグに対応するランドマークの位置データとに基づいて、映像表示領域１８ｂ内の文字タグとそれに対応するランドマークとを結ぶリンク線を表示部１８に表示する。これにより、例えば図３２に示すように、映像表示領域１８ｂ内の文字タグと地図表示領域１８ａ内のランドマークとがリンク線によって結ばれた画像が表示部１８に表示される。
【０１０９】
＜７．３  第３の変形例＞
上記実施形態においては、文字タグとエアタグとがリンク線によって結ばれていた。また、上記第２の変形例においては、文字タグとランドマークとがリンク線によって結ばれていた。これに関し、各携帯端末装置１０において、リンク線の一端をエアタグとランドマークとの間で切り替えることができるようにしても良い（本変形例の構成）。このような構成によれば、携帯端末装置１０においてリンク線の一端をエアタグにする旨の設定が行われると、図３３（ａ）に示すように、文字タグとエアタグとを結ぶリンク線が表示される。また、携帯端末装置１０においてリンク線の一端をランドマークにする旨の設定が行われると、図３３（ｂ）に示すように、文字タグとランドマークとを結ぶリンク線が表示される。このようにして、ユーザーは、リンク線の接続先を必要に応じて切り替えることが可能となる。
【０１１０】
＜７．４  その他＞
上記実施形態においては、表示部１８の上方に地図表示領域１８ａが配置され、表示部１８の下方に映像表示領域１８ｂが配置されていた（図３などを参照）。しかしながら、本発明はこれに限定されず、図３４に示すように、表示部１８の下方に地図表示領域１８ａが配置され、表示部１８の上方に映像表示領域１８ｂが配置されていても良い。
【０１１１】
また、上記実施形態においては、本発明に係る経路案内装置が携帯端末装置１０によって実現される例を示したが、本発明はこれに限定されない。例えば、ヘッドマウントディスプレイ（頭部装着型表示装置）のように携帯端末装置１０以外の端末装置によって本発明に係る経路案内装置を実現することもできる。
【０１１２】
さらに、上記実施形態においては、避難誘導システムを例に挙げて説明したが、本発明はこれに限定されない。ユーザーに現在位置から目的地までの進行経路を案内するための一般的なナビゲーションシステムにも、本発明を適用することができる。
【符号の説明】
【０１１３】
１０…携帯端末装置
１８…表示部
１８ａ…地図表示領域
１８ｂ…映像表示領域
２０…サーバ
１３０…データ記憶手段
１４０…避難経路探索手段
１５０…地図表示手段
１５２…ランドマーク表示手段
１７０…映像表示手段
１８０…エアタグ表示手段
１８１…リンク線表示手段
１８２…文字タグ表示手段
【図１】
2016008894.tif 000003
【図２】
2016008894.tif 000004
【図３】
2016008894.tif 000005
【図４】
2016008894.tif 000006
【図５】
2016008894.tif 000007
【図６】
2016008894.tif 000008
【図７】
2016008894.tif 000009
【図８】
2016008894.tif 000010
【図９】
2016008894.tif 000011
【図１０】
2016008894.tif 000012
【図１１】
2016008894.tif 000013
【図１２】
2016008894.tif 000014
【図１３】
2016008894.tif 000015
【図１４】
2016008894.tif 000016
【図１５】
2016008894.tif 000017
【図１６】
2016008894.tif 000018
【図１７】
2016008894.tif 000019
【図１８】
2016008894.tif 000020
【図１９】
2016008894.tif 000021
【図２０】
2016008894.tif 000022
【図２１】
2016008894.tif 000023
【図２２】
2016008894.tif 000024
【図２３】
2016008894.tif 000025
【図２４】
2016008894.tif 000026
【図２５】
2016008894.tif 000027
【図２６】
2016008894.tif 000028
【図２７】
2016008894.tif 000029
【図２８】
2016008894.tif 000030
【図２９】
2016008894.tif 000031
【図３０】
2016008894.tif 000032
【図３１】
2016008894.tif 000033
【図３２】
2016008894.tif 000034
【図３３】
2016008894.tif 000035
【図３４】
2016008894.tif 000036
【図３５】
2016008894.tif 000037
【図３６】
2016008894.tif 000038